(57)【要約】【課題】  通信メディアの変換が行われるネットワークにおいても通信品質の測定を行うことができる通信品質測定システムを提供する。【解決手段】  本発明は、メディア変換装置を備えるネットワークに対して通信品質に係るパラメータを測定する通信品質測定システムに関する。そして、通信品質測定システムは第１の測定装置と第２の測定装置とを備え、第１の測定装置はメディア変換装置を介して第１の種類の通信メディアのフレーム列を送出する手段を有し、第２の測定装置は第１の測定装置の第２の種類の通信メディアのフレーム列を受信する手段を有し、さらに、第２の測定装置が受信した各フレームに係るパラメータを含む測定データを蓄積する手段と、第１の測定装置から送出される各フレームと、第２の測定装置で受信する各フレームとの間で対応する組合せを求める手段と、各組合せについて通信品質に係るパラメータを算出する手段とを備えることを特徴とする。【選択図】      図１
2014086904.tif 000002
【特許請求の範囲】
【請求項１】
第１の通信装置から送出されたメディアデータのフレーム列を、第２の通信装置が対応する種類の通信メディアのフレーム列に変換して、上記第２の通信装置に向けて送出するメディア変換装置を備えるネットワークに対して、通信品質に係るパラメータを測定する通信品質測定システムにおいて、
上記ネットワーク上の第１の測定点に配置された第１の測定装置と、上記ネットワーク上の第２の測定点に配置された第２の測定装置とを備え、
上記第１の測定装置は、上記メディア変換装置を介して、上記第２の測定装置へ向けて、第１の種類の通信メディアのフレーム列を送出するメディアフレーム送出手段を有し、
上記第２の測定装置は、上記第１の測定装置から、上記メディア変換装置を介して、第２の種類の通信メディアのフレーム列を受信するメディアフレーム受信手段と、受信した各フレームに関する測定処理を行う測定手段とを有し、
上記第２の測定装置の測定手段が測定したフレームごとの測定結果を含む測定データを蓄積する蓄積手段と、
上記蓄積手段が蓄積した測定データを利用して、上記第１の測定装置から送出された各フレームと、上記第２の測定装置で受信した各フレームとの間で対応する組合せを求めるフレーム対応関係取得手段と、
上記フレーム対応関係取得手段で対応関係が求められたフレームの各組合せについて、上記蓄積手段で蓄積した測定データから、上記第１の測定点と上記第２の測定点との間の通信品質に係るパラメータを算出する通信品質算出手段と
をさらに備えることを特徴とする通信品質測定システム。
【請求項２】
上記第１の測定装置は、上記メディア変換装置を介して、送出するフレーム列のセッションに係る制御情報を送信する制御情報送信手段をさらに備え、
上記第２の測定装置は、
上記第１の測定装置から受信した制御情報に基づいて、上記第１の測定装置から送出される各フレームの送出タイミングを取得するフレーム送出タイミング取得手段をさらに備え、
上記蓄積手段は、少なくとも、上記第２の測定装置が受信する各フレームの受信タイミングと、上記第２の測定装置が受信する制御情報の一部又は全部を測定データの一部として蓄積し、
上記通信品質算出手段は、上記フレーム対応関係取得手段で対応関係が求められたフレームの各組合せについて、上記第１の測定装置での送信タイミングと、上記第２の測定装置での受信タイミングとに基づき、フレーム転送遅延時間を求める
ことを特徴とする請求項１に記載の通信品質測定システム。
【請求項３】
上記ネットワークは、複数のアプリケーションサービスに対応し、
上記第１の測定装置は、
上記ネットワークが対応するアプリケーションごとに、当該アプリケーションの識別子と、当該アプリケーションの通信条件情報を記憶する通信情報記憶手段と、
アプリケーションの識別子が入力されると、当該識別子のアプリケーションに対応する通信条件で上記メディアフレーム送出手段にフレーム送信を実行させる送信制御手段とをさらに有する
ことを特徴とする請求項２に記載の通信品質測定システム。
【請求項４】
第１の通信装置から送出されたメディアデータのフレーム列を、第２の通信装置が対応する種類の通信メディアのフレーム列に変換して、上記第２の通信装置に向けて送出するメディア変換装置を備えるネットワークに対して、通信品質に係るパラメータを測定するものであって、上記ネットワーク上の第１の測定点に配置された第１の測定装置と、上記ネットワーク上の第２の測定点に配置された第２の測定装置とを備える通信品質測定システムが行う通信品質測定方法において、
メディアフレーム送出手段、メディアフレーム受信手段、測定手段、蓄積手段、フレーム対応関係取得手段、通信品質算出手段を備え、
上記メディアフレーム送出手段は、上記第１の測定装置から、上記メディア変換装置を介して、上記第２の測定装置へ向けて、第１の種類の通信メディアのフレーム列を送出し、
上記メディアフレーム受信手段は、上記第２の測定装置により、上記第１の測定装置から、上記メディア変換装置を介して、第２の種類の通信メディアのフレーム列を受信し、
上記測定手段は、上記メディアフレーム受信手段が受信した各フレームに関する測定処理を行い、
上記蓄積手段は、上記第２の測定装置の測定手段が測定したフレームごとの測定結果を含む測定データを蓄積し、
上記フレーム対応関係取得手段は、上記蓄積手段が蓄積した測定データを利用して、上記第１の測定装置から送出された各フレームと、上記第２の測定装置で受信した各フレームとの間で対応する組合せを求め、
上記通信品質算出手段は、上記フレーム対応関係取得手段で対応関係が求められたフレームの各組合せについて、上記蓄積手段で蓄積した測定データから、上記第１の測定点と上記第２の測定点との間の通信品質に係るパラメータを算出する
ことを特徴とする通信品質測定方法。
【発明の詳細な説明】
【技術分野】
【０００１】
この発明は、通信品質測定システム及び方法に関し、例えば、ＮＧＮ（Ｎｅｘｔ  Ｇｅｎｅｒａｔｉｏｎ  Ｎｅｔｗｏｒｋ）等のネットワーク上の、通信品質測定に適用し得る。
【背景技術】
【０００２】
従来、ネットワーク品質を評価する評価値を測定する方法としては、大きく分けて、「アクティブ測定」と「パッシブ測定」の二つの種類に分類できる。
【０００３】
パッシブ測定では、被評価対象のネットワーク上に測定装置を設置して、測定情報（例えば、流通するトラフィック）を取得（キャプチャ）し、そのデータを加工して品質情報を得る。パッシブ測定では、被評価対象のネットワーク上を流れるユーザトラフィック自体の通信品質も測定することが可能であるが、被評価対象ネットワークで通信（トラフィック）が発生していないと測定することができない。
【０００４】
アクティブ測定とは、被測定対象のネットワーク上で測定装置自身が通信（例えば、試験用トラフィック等の通信）を行い、その時の当該ネットワークの通信品質に係るパラメータ(例えば、遅延時間等)を測定する。上述の通り、アクティブ測定では、測定装置として、通信機能に対応する必要があるが、任意の地点に測定装置を設置し、任意の時刻に測定することが可能となる。アクティブ測定に関する既存技術としては、例えば、非特許文献１や、特許文献１の記載技術がある。
【０００５】
非特許文献１には、ＮＧＮにおいて、各ＵＮＩ点（Ｕｓｅｒ−Ｎｅｔｗｏｒｋ  Ｉｎｔｅｒｆａｃｅ）にアクティブプローブ（測定装置）を配置して、アクティブプローブ間でアクティブ測定により当該ＮＧＮの通信品質を測定することについて記載されている。
【０００６】
特許文献１には、ＮＧＮ等の品質クラスの異なる複数のアプリケーションを提供するネットワークについて効率的に通信品質に係る測定を行うことについて記載されている。具体的には、特許文献１には、測定装置にアプリケーション（品質クラス）ごとに、測定項目を設定しておき、測定時に測定対象のアプリケーション選択を行うだけで、品質評価に必要なトラフィックを発生させて、当該ネットワークに係る品質評価を行うことができるシステムについて記載されている。
【先行技術文献】
【特許文献】
【０００７】
【特許文献１】特開２０１１−３００５１号公報
【非特許文献】
【０００８】
【非特許文献１】日本電信電話株式会社  編、「ＮＧＮエンドエンド品質測定システム」、[Online]、INTERNET、[２０１２年１０月１０日検索]，＜ＵＲＬ：http://www.ntt.co.jp/RD/OFIS/active/2010pdf/hot/nw/01.html＞
【発明の概要】
【発明が解決しようとする課題】
【０００９】
しかしながら、特許文献１や非特許文献１に示される従来の測定技術では、メディア変換を伴う通信セッションに係る通信品質を正確に測定することについては、詳細に検討されていないという問題がある。例えば、「Ｇ．７１１」に対応する固定電話と「Ｇ．７２９」に対応する携帯電話との間の通信品質の測定（例えば、通信遅延時間の測定）を行う場合、従来技術では、例えば、単位当たりのパケット送信時刻とパケット受信時刻をスタート時点から順次照合することが挙げられる。しかし、上述の例の場合、メディア変換前後で、分割周期やコーデックの差分によりパケット数が違う為、従来技術では、正確にエンドエンド（Ｅｎｄ  ｔｏ  Ｅｎｄ）で発生する遅延（以下、「パケット転送遅延時間」と呼ぶ）を求めることが出来ないという問題がある。このような問題は、音声メディアだけでなく、動画像メディアの場合でも、フレームレートやコーデック差分等により同様の問題が発生する。
【００１０】
上述のような問題は、特に、移動体通信と有線通信を密接に連携させるＦＭＣ（Ｆｉｘｅｄ  Ｍｏｂｉｌｅ  Ｃｏｎｖｅｒｇｅｎｃｅ）やＩＰＴＶサービスを提供するネットワークにおいて発生する。
【００１１】
そのため、通信メディアの変換が行われるネットワークにおいても、通信品質の測定を行うことができる通信品質測定システム及び方法が望まれている。
【課題を解決するための手段】
【００１２】
第１の本発明は、第１の通信装置から送出されたメディアデータのフレーム列を、第２の通信装置が対応する種類の通信メディアのフレーム列に変換して、上記第２の通信装置に向けて送出するメディア変換装置を備えるネットワークに対して、通信品質に係るパラメータを測定する通信品質測定システムにおいて、（１）上記ネットワーク上の第１の測定点に配置された第１の測定装置と、上記ネットワーク上の第２の測定点に配置された第２の測定装置とを備え、（２）上記第１の測定装置は、上記メディア変換装置を介して、上記第２の測定装置へ向けて、第１の種類の通信メディアのフレーム列を送出するメディアフレーム送出手段を有し、（３）上記第２の測定装置は、上記第１の測定装置から、上記メディア変換装置を介して、第２の種類の通信メディアのフレーム列を受信するメディアフレーム受信手段と、受信した各フレームに関する測定処理を行う測定手段とを有し、（４）上記第２の測定装置の測定手段が測定したフレームごとの測定結果を含む測定データを蓄積する蓄積手段と、（５）上記蓄積手段が蓄積した測定データを利用して、上記第１の測定装置から送出された各フレームと、上記第２の測定装置で受信した各フレームとの間で対応する組合せを求めるフレーム対応関係取得手段と、（６）上記フレーム対応関係取得手段で対応関係が求められたフレームの各組合せについて、上記蓄積手段で蓄積した測定データから、上記第１の測定点と上記第２の測定点との間の通信品質に係るパラメータを算出する通信品質算出手段とをさらに備えることを特徴とする。
【００１３】
第２の本発明は、第１の通信装置から送出されたメディアデータのフレーム列を、第２の通信装置が対応する種類の通信メディアのフレーム列に変換して、上記第２の通信装置に向けて送出するメディア変換装置を備えるネットワークに対して、通信品質に係るパラメータを測定するものであって、上記ネットワーク上の第１の測定点に配置された第１の測定装置と、上記ネットワーク上の第２の測定点に配置された第２の測定装置とを備える通信品質測定システムが行う通信品質測定方法において、（１）メディアフレーム送出手段、メディアフレーム受信手段、測定手段、蓄積手段、フレーム対応関係取得手段、通信品質算出手段を備え、（２）上記メディアフレーム送出手段は、上記第１の測定装置から、上記メディア変換装置を介して、上記第２の測定装置へ向けて、第１の種類の通信メディアのフレーム列を送出し、（３）上記メディアフレーム受信手段は、上記第２の測定装置により、上記第１の測定装置から、上記メディア変換装置を介して、第２の種類の通信メディアのフレーム列を受信し、（４）上記測定手段は、上記メディアフレーム受信手段が受信した各フレームに関する測定処理を行い、（５）上記蓄積手段は、上記第２の測定装置の測定手段が測定したフレームごとの測定結果を含む測定データを蓄積し、（６）上記フレーム対応関係取得手段は、上記蓄積手段が蓄積した測定データを利用して、上記第１の測定装置から送出された各フレームと、上記第２の測定装置で受信した各フレームとの間で対応する組合せを求め、（７）上記通信品質算出手段は、上記フレーム対応関係取得手段で対応関係が求められたフレームの各組合せについて、上記蓄積手段で蓄積した測定データから、上記第１の測定点と上記第２の測定点との間の通信品質に係るパラメータを算出することを特徴とする。
【発明の効果】
【００１４】
本発明によれば、通信メディアの変換が行われるネットワークにおいても、通信品質の測定を行うことができる通信品質測定システムを提供することができる。
【図面の簡単な説明】
【００１５】
【図１】実施形態に係る測定装置（通信品質測定システムを構成する各構成要素）の機能的構成について示したブロック図である。
【図２】実施形態に係る通信品質測定システム、及び通信品質測定システムで測定対象となるネットワークの全体構成について示したブロック図である。
【図３】実施形態に係る通信品質測定システムの動作について示したフローチャートである。
【図４】実施形態に係るパケット送信側の測定装置でパケット送信する動作について示したフローチャートである。
【図５】実施形態に係るパケット受信側の測定装置で、パケット受信する際の動作について示したフローチャートである。
【図６】実施形態に係る通信品質測定システムで対応する通信メディア（コーデック）の仕様について示した説明図である。
【図７】実施形態に係る解析部で行われるパケット転送遅延時間の解析処理について示したタイミングチャート（その１）である。
【図８】実施形態に係る解析部で行われるパケット転送遅延時間の解析処理について示したタイミングチャート（その２）である。
【図９】実施形態に係る解析部が１区間分のパケット転送遅延時間の解析処理を行う際の動作について示したフローチャートである。
【発明を実施するための形態】
【００１６】
（Ａ）主たる実施形態
以下、本発明による通信品質測定システム、及び方法の一実施形態を、図面を参照しながら詳述する。
【００１７】
（Ａ−１）実施形態の構成
図２は、ネットワーク１、及びネットワーク１に関する通信品質を測定するための、通信品質評価システム２の構成について示したブロック図である。
【００１８】
図２に示すように、ネットワーク１は、ＮＧＮとして構築されたネットワークシステムである。そして、ネットワーク１上には、少なくともＳＩＰ端末間の呼制御を行うセッション制御装置３、及びＳＩＰ端末間のメディア通信におけるメディア変換（例えばコーデック変換）を行うメディア変換装置４が配置されている。
【００１９】
セッション制御装置３は、通信装置間の呼制御を行う呼制御装置である。この実施形態では、セッション制御装置３は、ＳＩＰ／ＳＤＰ（Ｓｅｓｓｉｏｎ  Ｉｎｉｔｉａｔｉｏｎ  Ｐｒｏｔｏｃｏｌ／Ｓｅｓｓｉｏｎ  Ｄｅｓｃｒｉｐｔｉｏｎ  Ｐｒｏｔｏｃｏｌ）を用いて呼制御を行うものとする。セッション制御装置３としては、例えば、既存のＳＩＰ／ＳＤＰに対応したＳＩＰサーバ（呼制御装置）を適用することができる。
【００２０】
そして、ネットワーク１の末端部分には、ユーザネットワークを収容するためのＯＮＵ５（５−１、５−２）が配置されているものとする。そして、ＯＮＵ５−１、５−２のそれぞれのユーザ側（下位側）のインタフェースが、ＵＮＩとなっているものとする。
【００２１】
そして、ＯＮＵ５−１、５−２のＵＮＩには、それぞれ測定装置２０（２０−１、２０−２）が接続されている。この実施形態の通信品質評価システム２は、２つの測定装置２０−１、２０−２により構成されているものとする。すなわち、通信品質評価システム２では、ネットワーク１上の第１の測定点（ＯＮＵ５−１配下のＵＮＩ点）と、ネットワーク１上の第２の測定点（ＯＮＵ５−２配下のＵＮＩ点）との間の通信品質に係る測定を行うものとする。なお、測定装置２０が配置される位置（測定点の位置）や、ネットワーク１への接続インタフェースについては限定されないものである。
【００２２】
測定装置２０−１、２０−２は、いずれもＳＩＰ端末としての通信機能と、送受信する信号（パケット）に基づいて、対向する測定装置２０との間の通信品質に関する測定を行う。この実施形態では、測定装置２０−１、２０−２は、セッション制御装置３の呼制御の下に、メディア変換装置４を介したメディア通信を行い、そのメディア通信に係る通信品質の測定（例えば、パケット転送遅延時間）を測定するものとする。ここでは、測定装置２０−１、２０−２は、それぞれ異なる通信メディア（音声コーデック）の電話通信を行うＳＩＰ端末として機能するものとする。
【００２３】
具体的には、測定装置２０−１は、固定電話等で用いられるＧ．７１１のコーデックに対応した電話通信（メディア通信）を行うことが可能であるものとする。また、測定装置２０−２は、携帯電話等で用いられるＧ．７２９のコーデックに対応した電話通信（メディア通信）を行うことが可能であるものとする。したがって、メディア変換装置４では、測定装置２０−１と測定装置２０−２との間のコーデック変換（メディア変換）の処理が行われることになる。
【００２４】
以上のように、ネットワーク１では、メディア変換装置４により、例えば、移動体通信と有線通信を密接に連携させる（Ｆｉｘｅｄ  Ｍｏｂｉｌｅ  Ｃｏｎｖｅｒｇｅｎｃｅ）技術による通信環境等が実現可能な構成となっているものとする。
【００２５】
次に、測定装置２０−１、２０−２の内部構成について図１を用いて説明する。ここでは、測定装置２０−１、２０−２は、いずれも同じ構成であるものとして説明する。
【００２６】
測定装置２０は、例えば、プロセッサ、メモリ、ネットワークインタフェース等を有する情報処理装置（通信装置）に、実施形態の測定プログラム（図１の各構成要素に該当するプログラム）をインストールすることにより実現するようにしてもよい。なお、測定装置２０が行う情報処理については、複数の情報処理装置に分散して実行するようにしてもよい。
【００２７】
測定装置２０は、セッション制御部２０１、パケット生成部２０２、品質測定部２０３、セッション切断部２０４、アプリケーション情報入力部２０５、アプリケーション情報設定部２０６、及び解析部２０７を有している。
【００２８】
試験情報記憶部２０５は、当該測定装置２０で通信品質に係る測定試験の処理（以下、「通信品質測定試験処理」と呼ぶ）を行うことが可能なアプリケーションごとに、当該アプリケーションの識別子としてのアプリケーション名と、当該アプリケーションの試通信品質測定試験処理の内容を定義した情報（以下、「試験情報」と呼ぶ）が記憶されている。各アプリケーションの試験情報の内容の詳細については後述する。
【００２９】
試験情報入力部２０６は、ユーザの操作等に基づいて、アプリケーション名（アプリケーション識別子）が入力されると、当該アプリケーション名を、通信品質測定試験処理を行う各構成要素（セッション制御部２０１、パケット生成部２０２、品質測定部２０３、セッション切断部２０４、及び解析部２０７）に供給して、通信品質測定試験処理を開始させる。そして、アプリケーション名が供給された各構成要素は、当該アプリケーション名に対応する試験情報のうち必要な情報を、試験情報記憶部２０５から取得して、通信品質測定試験処理を開始するものとする。測定装置２０が、通信品質測定試験処理を開始するトリガやタイミングについては限定されないものであるが、この実施形態では、ユーザの操作により、測定装置２０−１、２０−２のそれぞれの試験情報入力部２０６に、アプリケーション名が入力されたことを契機に、通信品質測定試験処理が開始されるものとして説明する。
【００３０】
なお、この実施形態の通信品質測定システム２（測定装置２０−１、２０−２）では、特許文献１に記載されたシステムと同様に、ネットワーク１で複数の品質クラスのサービスを提供することを前提として、複数の品質クラス、複数のアプリケーションをターゲットとして、一括してパケット生成及び品質測定を行うことが可能な構成となっているものとする。
【００３１】
セッション制御部２０１は、セッション制御機能を担っており、セッション情報読み込み部２０１ａ及びセッション生成部２０１ｂを有している。具体的には、セッション制御部２０１は、ＳＩＰ／ＳＤＰを用いてセッション制御装置３と呼制御信号（ＳＩＰメッセージ）の送受信を行い、対向するＳＩＰ端末としての測定装置２０とメディア通信のセッション（呼）の接続を行う。そして、セッション制御部２０１は、セッションを接続する際（例えば、ＩＮＶＩＴＥメッセージを送信する際）に、ＳＤＰを用いて、今回のセッションに用いるメディア通信の内容や条件等を、セッション制御装置３に通知する。セッション制御装置３では、この情報を基に、ネットワーク１における、品質クラスの判定と必要なリソースの割当等を行い、具体的な呼制御を行う。
【００３２】
パケット生成部２０２は、トラヒック生成機能を担っており、パケット情報読み込み部２０２ａ、パケット生成部２０２ｂ、終了判定部２０２ｃを有している。具体的には、パケット生成部２０２は、対向するＳＩＰ端末としての測定装置２０とセッション開始後に、通信品質評価システム２において測定対象となるトラヒック（メディアデータを送信するためのパケット列）を発生させる。この際、パケット生成部２０２は、単純にパケットを送信および受信するだけではなく、トラヒック特性によって品質が変化する可能性があるため、発生させるトラヒックは対象とするサービス／アプリケーションに応じたものとする必要がある。例えば、コーデックとして、Ｇ．７１１を用いたＩＰ電話の場合、ＩＰ電話端末は、２０ｍｓｅｃ毎に２００ｂｙｔｅのパケットを送信するものが多く見られるので、パケット生成部２０２においても、同様の間隔とサイズでパケットを送信することが必要である。
【００３３】
品質測定部２０３は、品質評価に係る測定機能を担っており、測定情報読み込み部２０３ａ、測定実行部２０３ｂ、終了判定部２０３ｃ、及び測定データ蓄積部２０３ｄを有している。ネットワーク１の通信品質に係るパラメータ（指標）としては、例えば、パケット転送遅延時間、パケット転送遅延ゆらぎ、パケット損失率等、ＩＴＵ−Ｔによる勧告で推奨される項目が挙げられる。この実施形態では、品質測定部３は、ネットワーク１の通信品質に係るパラメータとして、少なくともパケット転送遅延時間を測定するものとして説明する。
【００３４】
セッション切断部２０４は、当該測定装置２０が接続したメディア通信のセッションの切断処理を行う機能を担っている。
【００３５】
解析部２０７は、品質測定部２０３（測定データ蓄積部２０３ｄ）に蓄積された測定データを解析する機能を担っている。解析部２０７の具体的な処理内容については後述する。
【００３６】
（Ａ−２）実施形態の動作
次に、以上のような構成を有するこの実施形態の通信品質評価システム２（測定装置２０−１、２０−２）の動作について説明する。
【００３７】
まず、測定装置２０−１、２０−２の試験情報記憶部２０５において、予め、測定対象とするアプリケーション毎に、試験情報として、セッション情報、パケット情報、品質測定項目情報等の情報の組が記憶されたものとする（Ｓ１０１）。
【００３８】
ここでは、測定装置２０−１の試験情報記憶部２０５には、電話通信のアプリケーション（以下では、当該アプリケーションの名前を「電話通信アプリケーション」と呼ぶものとする）に対応するセッション情報として、測定装置２０−２との間で、所定の条件（例えば、所定の帯域、ＱｏＳクラス）での電話通信を行うことを示す情報が設定されているものとする。また、測定装置２０−１の試験情報記憶部２０５には、電話通信のアプリケーションに対応するパケット情報として、メディア変換装置４を介して、所定の条件（例えば、所定のトラヒック特性、ＤＳＣＰ値等）で、測定装置２０−２と、Ｇ．７１１のコーデックを用いた通信メディアのパケット（試験用の音声データが挿入されたパケット）の送受信を行うことを示す情報が設定されているものとする。さらに、測定装置２０−１の試験情報記憶部２０５には、電話通信のアプリケーションに対応する品質測定項目情報として、少なくとも、メディアパケットの転送遅延時間の測定項目について測定することが設定されているものとする。
【００３９】
また、ここでは、測定装置２０−２の試験情報記憶部２０５には、電話通信のアプリケーションに対応するセッション情報として、測定装置２０−１との間で、所定の条件で電話通信を行うことを示す情報が設定されているものとする。また、測定装置２０−２の試験情報記憶部２０５には、電話通信のアプリケーションに対応するパケット情報として、メディア変換装置４を介して、測定装置２０−１と、所定の条件で、Ｇ．７２９のコーデックを用いた通信メディアのパケットの送受信を行うことを示す情報が設定されているものとする。さらに、測定装置２０−２の試験情報記憶部２０５には、電話通信のアプリケーションに対応する品質測定項目情報として、少なくとも、メディアパケットの転送遅延時間の測定項目について測定することが設定されているものとする。
【００４０】
なお、測定装置２０−１、２０−２においては、特許文献１と同様に、品質測定項目情報として、パケット転送遅延時間以外の項目についても定義するようにしてもよいが、パケット転送遅延時間以外の項目については種々の測定方法を適用することができるため、以下では、パケット転送遅延時間以外の処理に係る詳しい説明を省略する。
【００４１】
その後、測定装置２０−１、２０−２の試験情報入力部２０６に対して、ユーザ（例えば、システム管理者等）の操作により、アプリケーション名として、「電話通信アプリケーション」を指定して、通信品質測定試験処理の開始の操作が行われたものとする（Ｓ１０２）。
【００４２】
そして、測定装置２０−１、２０−２の試験情報入力部２０６は、入力されたアプリケーション名（電話通信アプリケーション）を、通信品質測定試験処理を行う各構成要素（セッション制御部２０１、パケット生成部２０２、品質測定部２０３、セッション切断部２０４、及び解析部２０７）に供給して、通信品質測定試験処理を開始させる（Ｓ１０３）。これにより、測定装置２０−１、２０−２では、電話通信アプリケーションに関する通信品質測定処理が開始されることになる。なお、このとき、測定装置２０−１、２０−２では、対向する測定装置２０と送受信する際のＳＤＰの内容を保持して、測定データの一部として、測定データ蓄積部２０３ｄに保持するものとする。
【００４３】
まず、測定装置２０−１、２０−２では、セッション制御部２０１（セッション情報読み込み部２０１ａ）により、試験情報記憶部２０５から、入力されたアプリケーション名に対応するセッション情報が読み込まれる。そして、測定装置２０−１、２０−２では、セッション制御部２０１（セッション生成部２０１ｂ）により、読み込まれたセッション情報に基づいて、セッション制御装置３に対するＳＩＰによるセッ ション要求が行われる。そして、測定装置２０−１、２０−２間で、電話通信アプリケーションのセッションが確立されたものとする（Ｓ１０４）。
【００４４】
そして、測定装置２０−１、２０−２では、パケット生成部２０２（パケット生成部２０２ｂ）により、試験情報記憶部２０５から、入力されたアプリケーション名に対応するパケット情報が読み込まれる。そして、パケット生成部２０２（パケット生成部２０２ｂ）により、パケット情報に基づいて、確立した電話アプリケーションのセッションに係るメディアパケットの生成・送信が開始される（Ｓ１０５）。
【００４５】
そして、測定装置２０−１、２０−２では、品質測定部２０３（測定情報読み込み部２０３ａ）により、試験情報記憶部２０５から、入力されたアプリケーション名に対応する品質測定項目情報が読み込まれる。そして、測定装置２０−１、２０−２では、品質測定部２０３（測定情報読み込み部２０３ａ）により、品質測定項目情報（パケット転送遅延時間）に基づいて、対向する測定装置２０からのメディアパケットの受信及び通信品質測定が開始される（Ｓ１０６）。
【００４６】
そして、測定装置２０−１、２０−２では、パケット生成部２０２（終了判定部２０２ｃ）により、通信品質測定試験処理の終了タイミングが検出されると、パケット生成部２０２によるパケット生成、及び品質測定部２０３による通信品質測定処理が終了する（Ｓ１０７）。終了判定部２０２ｃによる終了判定のタイミングは限定されないものであり、例えば、パケット生成・送信の処理が開始されてから一定時間（試験情報として設定された時間としてもよい）経過後としてもよい。
【００４７】
そして、測定装置２０−１、２０−２では、品質測定部２０３（測定データ蓄積部２０３ｄ）に蓄積された、測定結果（受信した試験用パケットのそれぞれの受信時刻）を含む測定データが、解析部２０７に供給され（Ｓ１０８）、セッション切断部２０４により試験用のセッションの切断処理が実行される（Ｓ１０９）。
【００４８】
そして、測定装置２０−１、２０−２では、解析部２０７により、測定データ蓄積部２０３ｄに蓄積された測定データの解析処理が行われる（Ｓ１１０）。解析部２０７は、入力された試験情報や、測定データ蓄積部２０３ｄに測定データの一部として蓄積されたＳＤＰの内容等に基づいて、対向する測定装置２０と当該測定装置２０との間の通信仕様を把握し、把握した通信仕様に基づいて、測定データの解析を行うものとする。
【００４９】
なお、解析部２０７が行った処理結果（パケット転送遅延時間の列等）の出力方法については限定されないものであり、例えば、情報記録媒体（ＨＤＤやＤＶＤ−ＲＯＭ等）に出力して記憶させるようにしてもよいし、他の装置（例えば、ネットワーク１上のサーバ等）にデータ送信出力するようにしてもよい。
【００５０】
以上のような流れで、測定装置２０−１、２０−２では、通信品質測定試験処理が実行される。
【００５１】
次に、測定装置２０−１、２０−２のパケット生成部２０２（パケット生成部２０２ｂ）において、上述のステップＳ１０５で、パケット生成・送信処理が開始されてから、上述のステップＳ１０７で終了するまでの間の処理について図４のフローチャートを用いて説明する。
【００５２】
図４に示すように、パケット生成部２０２（パケット生成部２０２ｂ）は、終了判定部２０２ｃにより、通信品質測定試験処理の終了と判定されるまでの間、取得したパケット情報に基づいて、パケット生成及び送信処理を繰り返し実行する処理を行う（Ｓ２０１、Ｓ２０２）。このとき、パケット生成部２０２（パケット生成部２０２ｂ）が送信するメディアデータの内容は限定されないものであり、例えば試験用のダミーの音声データを繰り返し送信するようにしてもよい。
【００５３】
なお、パケット生成部２０２（パケット生成部２０２ｂ）が試験用パケットを送信する間隔（パケット化周期）は、送信する通信メディアのコーデックの仕様及び設定により定まる。この実施形態では、パケット生成部２０２（パケット生成部２０２ｂ）は、試験用データをＲＴＰ／ＲＴＣＰ（Ｒｅａｌ-ｔｉｍｅ Ｔｒａｎｓｐｏｒｔ Ｐｒｏｔｏｃｏｌ／ＲＴＰ  Ｃｏｎｔｒｏｌ  Ｐｒｏｔｏｃｏｌ）により伝送するものとして説明する。すなわち、パケット生成部２０２（パケット生成部２０２ｂ）は、パケット化周期ごとに、メディアデータ（音声データ）を挿入したＲＴＰパケットを試験用パケットとして送出する。また、パケット生成部２０２（パケット生成部２０２ｂ）は、所定の期間ごとに、ＲＴＰの通信制御を行うためのＲＴＣＰパケットを試験用パケットとして送出する。
【００５４】
図６は、測定装置２０−１、２０−２が対応する各コーデックの仕様及び設定について示した説明図である。
【００５５】
図６では、測定装置２０−１が対応するＧ．７１１及び、測定装置２０−２が対応するＧ．７２９の仕様について示している。
【００５６】
Ｇ．７１１は６４ｋｂｐｓの転送レートのコーデックであり、ＲＴＰパケットのペイロード長は１６０ｂｙｔｅｓ又は３２０ｂｙｔｅｓである。したがって、Ｇ．７１１では、ペイロード長が１６０ｂｙｔｅｓの場合パケット化周期は２０ｍｓｅｃ、ペイロード長が３２０ｂｙｔｅｓの場合パケット化周期は４０ｍｓｅｃとなる。また、Ｇ．７２９は８ｋｂｐｓの転送レートのコーデックであり、ＲＴＰパケットのペイロード長は２０ｂｙｔｅｓ又は４０ｂｙｔｅｓである。したがって、Ｇ．７２９では、ペイロード長が２０ｂｙｔｅｓの場合パケット化周期は２０ｍｓｅｃ、ペイロード長が４０ｂｙｔｅｓの場合パケット化周期は４０ｍｓｅｃとなる。
【００５７】
なお、測定装置２０−１、２０−２の間で、パケット化周期の情報は、例えば、セッション接続時に、ＳＩＰメッセージのＳＤＰを用いて通知するようにしてもよい。
【００５８】
また、測定実行部２０３ｂは、通信品質測定試験処理を行う際に、測定データ蓄積部２０３ｄに、測定データの一部として、対向する測定装置２０におけるパケット送信開始時刻、及びパケット化周期の情報も蓄積させるものとする。
【００５９】
次に、測定装置２０−１、２０−２の品質測定部２０３（測定実行部２０３ｂ、測定データ蓄積部２０３ｄ）において、上述のステップＳ１０６で、測定処理が開始されてから、上述のステップＳ１０７で終了するまでの間の処理について図５のフローチャートを用いて説明する。
【００６０】
図５に示すように、品質測定部２０３（測定実行部２０３ｂ）は、通信品質測定試験処理の終了と判定されるまでの間、通信品質測定試験処理に係る試験用パケット（ＲＴＰパケット及びＲＴＣＰパケット）を受信する度に、測定処理（受信時刻を取得）し、その試験用パケットに係る情報と共に、測定データとして測定データ蓄積部２０３ｄに蓄積する処理を繰り返し実行する処理を行う（Ｓ３０１〜Ｓ３０４）。
【００６１】
品質測定部２０３（測定実行部２０３ｂ）は、少なくとも試験用パケットとして受信したＲＴＰパケットのシーケンス番号を測定データの一部として測定データ蓄積部２０３ｄに蓄積させるものとする。また、品質測定部２０３（測定実行部２０３ｂ）は、少なくとも試験用パケットとして受信したＲＴＣＰパケットに挿入された制御情報を、測定データの一部として、測定データ蓄積部２０３ｄに蓄積させるものとする。
【００６２】
次に、上述のステップＳ１１０で行われる解析部２０７による解析処理の内容について説明する。
【００６３】
なお、測定装置２０−１、２０−２の間では、上述の通り、事前の設定又は呼制御時の信号（ＩＮＶＩＴＥメッセージ等）交換により、事前に双方のパケット化周期及び試験用パケット（ＲＴＰパケット）の送出開始タイミングについては把握されているものとする。すなわち、測定装置２０−１、２０−２では、対向する測定装置２０から各ＲＴＰパケットが送出されるタイミングについては把握可能であるものとする。
【００６４】
そして、解析部２０７は、対向する測定装置２０における各パケット（ＲＴＰパケット）の送出タイミングと、受信した各パケット（ＲＴＰパケット）との紐付けを行う。そして、解析部２０７は、受信したパケットに係るパケット転送遅延時間（Ｅｎｄ  ｔｏ  Ｅｎｄ遅延時間）を算出する。
【００６５】
解析部２０７は、対向する測定装置２０の側（以下、「パケット送信側」とも呼ぶ）のパケット送信時刻（ＲＴＰパケットの送信時刻）と、当該測定装置２０（以下、「パケット受信側」とも呼ぶ）で受信したＲＴＰパケットとの紐付けを行う際に、入力側と出力側の各パケット化周期を考慮して、複数対複数、又は、単数対複数の紐付けを行う。
【００６６】
ここでは例として、Ｇ．７１１に対応する測定装置２０−１のパケット化周期を２０ｍｓｅｃ、Ｇ．７２９に対応する測定装置２０−２のパケット化周期を４０ｍｓｅｃであるものとする。
【００６７】
そして、図７は、測定装置２０−１をパケット送信側、測定装置２０−２をパケット受信側とした場合に、測定装置２０−２の解析部２０７が実行する処理について示したタイミングチャートである。
【００６８】
図７では、例として、パケット送信側（測定装置２０−１）のパケット送信開始時刻（最初のＲＴＰパケットの送信時刻）をタイミングＴ１０１としている。そして、図７に示す、タイミングＴ１０１の後のタイミングＴ１０２、Ｔ１０３、Ｔ１０４、Ｔ１０５、Ｔ１０６、…、は、それぞれパケット送信側のパケット送信時刻（ＲＴＰパケットの送信時刻）を示している。すなわち、タイミングＴ１０１〜Ｔ１０６の間隔は、それぞれ２０ｍｓｅｃとなっている。そして、図７では、タイミングＴ２０１、Ｔ２０２、Ｔ２０３…、のそれぞれが、パケット受信側（測定装置２０−２）のパケット受信時刻（ＲＴＰパケットの受信時刻）を示している。タイミングＴ２０１〜Ｔ２０３のそれぞれの間の時間は、遅延ゆらぎ等が発生しない場合、概ね４０ｍｓｅｃとなる。また、タイミングＴ２０１、Ｔ２０２、Ｔ２０３の受信パケットのシーケンス番号は、それぞれ１、２、３であるものとする。図７では、説明を簡易にするため、シーケンス番号を１、２、３、…、という形式で表しているが、シーケンス番号の形式（初期値や加算値等）については限定されないものである。
【００６９】
そして、図７例の場合、パケット送信側のパケット化周期が２０ｍｓｅｃ、パケット受信側のパケット化周期が４０ｍｓｅｃであるので、測定装置２０−２の解析部２０７では、パケット送信側の２つのパケット送信時刻と、パケット受信側の１つのパケット受信時刻が紐付けられることになる。すなわち、図７の例の場合、測定装置２０−２の解析部２０７では、例えば、タイミングＴ１０１、Ｔ１０２のパケット送信時刻の組と、タイミングＴ２０１のパケット受信時刻とが紐付けられることになる。
【００７０】
図７の例の場合は、パケット送信側のパケット化周期と、パケット受信側のパケット化周期が１：２の関係になっているので、解析部２０７は、パケット送信側のパケット化周期を２倍すれば、パケット受信側のパケットとの紐付けを行うことができる。このように、パケット送信側とパケット受信側で、パケット化周期が一方の倍数となる関係であれば、解析部２０７は、他方のパケット化周期にその倍数を乗じることで、パケットの紐付けが可能である。なお、パケット送信側とパケット受信側で、パケット化周期が一方の倍数とならない場合でも、解析部２０７は、２つのパケット化周期の最小公倍数を求めることで、パケットの紐付けを行うことができる。例えば、パケット送信側のパケット化周期が３０ｍｓｅｃ、パケット受信側のパケット化周期が２０ｍｓｅｃの場合（３：２の関係の場合）には、最小公倍数は６０ｍｓｅｃとなるので、解析部２０７は、パケット送信側の２つのパケットと、パケット受信側の３つのパケットとの紐付けを求めることができる。
【００７１】
なお、パケット受信側の解析部２０７において、パケット送信側のパケット送信時刻と、パケット受信側のパケット受信時刻とを紐付ける方法として、パケット送信側から供給されるＲＴＣＰパケットのうち、ＳＲ（Ｓｅｎｄｅｒ  Ｒｅｐｏｒｔ）が挿入されたＲＴＣＰパケット（以下、「ＲＴＣＰ−ＳＲパケット」と呼ぶ）を用いるようにしてもよい。ＲＴＣＰ−ＳＲパケットに挿入されるＳＲには、パケット受信側に供給されるべきＲＴＰパケットのシーケンス番号の情報（例えば、先頭のシーケンス番号及びパケットの個数の情報）が含まれるので、パケット受信側の解析部２０７では、ＲＴＣＰ−ＳＲパケットの内容と、受信パケットのシーケンス番号とに基づいて、パケット送信側のパケット送信時刻と、パケット受信側のパケット受信時刻とを紐付けることができる。なお、メディア変換装置４ではメディア変換により、各ＲＴＰパケット及びＲＴＰパケットの内容（シーケンス番号等）が、パケット受信側の測定装置２０に適合する形式に変換されることになる。
【００７２】
そして、測定装置２０−２の解析部２０７では、上述のようなパケット受信時刻について同様の紐付けを行った後、それぞれの紐付け（パケット送信時刻とパケット受信時刻の紐付け；組合せ）について、パケット転送遅延時間を算出する。例えば、タイミングＴ１０１、Ｔ１０２のパケット送信時刻と、タイミングＴ２０１のパケット受信時刻との紐付けについては、最後のパケット送信時刻であるタイミングＴ１０２と、タイミングＴ２０１との差分ｄ１０１を、当該紐付けに係るパケット転送遅延として算出するようにしてもよい。
【００７３】
そして、図８は、測定装置２０−２をパケット送信側、測定装置２０−１をパケット受信側とした場合に、測定装置２０−１の解析部２０７が実行する処理について示したタイミングチャートである。図８例の場合、パケット送信側のパケット化周期が４０ｍｓｅｃ、パケット受信側のパケット化周期が２０ｍｓｅｃであるので、測定装置２０−１の解析部２０７では、パケット送信側の１つのパケット送信時刻と、パケット受信側の２つのパケット受信時刻が紐付けられることになる。そして、測定装置２０−１の解析部２０７は、例えば、各紐付けについて、パケット送信時刻と、最初の受信パケットのパケット受信時刻との差分（例えば、図８のタイミングＴ３０１とタイミングＴ４０１の差分ｄ２０１）がパケット転送遅延時間として算出されることになる。
【００７４】
なお、解析部２０７は、パケットの紐付け処理を行う際に、パケット受信側でパケットロスを検出した場合（パケット受信側のパケットのシーケンス番号が連続しない場合）には、パケット受信側でロスしたパケットに係る紐付け処理をスキップするようにしてもよい。例えば、図７の例で、タイミングＴ２０２（シーケンス番号２）に係るパケットがロスして受信できなかった場合（測定データ蓄積部２０３ｄに情報が蓄積されなかった場合）には、解析部２０７は、タイミングＴ１０３、Ｔ１０４に係る紐付けをスキップして、タイミングＴ１０５、Ｔ１０６のパケット送信時刻の組と、タイミングＴ２０４のパケット受信時刻と２の紐付け処理を行う。
【００７５】
なお、この実施形態においては、パケット受信側の解析部２０７では、所定以上の比率でパケットロスが発生している任意の区間については、通信品質が所定以上に悪く、品質測定不可であるものとして、パケット転送遅延時間の算出を行わないものとする。パケット受信側の解析部２０７では、ＲＴＣＰ−ＳＲパケットの受信間隔を１つの区間として取扱い、区間ごとにパケットロス率（パケット送信側のＲＴＰパケット送信数／パケット受信側のＲＴＰパケット受信数）を計算する。すなわち、パケット受信側の解析部２０７は、第１のＲＴＣＰ−ＳＲパケットの受信時刻から、その次に受信する第２のＲＴＣＰ−ＳＲパケットの受信時刻までの間を１つの区間として取り扱う。
【００７６】
ＲＴＣＰ−ＳＲパケットに挿入されるＳＲには、当該区間でパケット受信側に供給されるべきＲＴＰパケットのシーケンス番号の情報（例えば、先頭のシーケンス番号及び当該区間のＲＴＰパケットの個数の情報）が含まれるので、パケット受信側の解析部２０７では、ＲＴＣＰ−ＳＲパケットの内容と、受信パケットのシーケンス番号とに基づいて、パケットロスを検出することができる。
【００７７】
具体的には、この実施形態のパケット受信側の解析部２０７は、図９に示すフローチャートにより、区間ごとの処理方法の決定、及び、転送遅延時間の算出処理（パケット送信時刻とパケット受信時刻の紐づけ処理を含む）を実行するものとする。パケット受信側の解析部２０７は、区間ごとに図９に示す処理を実行する。
【００７８】
まず、パケット受信側の解析部２０７は、１つの区間について、測定データ蓄積部２０３ｄに蓄積された情報を取得すると、当該区間におけるパケット受信側でのパケットロス数をカウントする（Ｓ４０１）。
【００７９】
ステップＳ４０１で、カウントしたパケットロス数が０だった場合、パケット受信側の解析部２０７は、当該区間について上述の図７、図８に示すような紐付け処理及び転送遅延時間算出処理を行う（Ｓ４０３）。
【００８０】
なお、パケット受信側の解析部２０７は、パケット送信側のパケット送信開始時刻と、それまでに処理した区間に係る処理情報に基づいて、当該区間での最初の受信パケット（ＲＴＰパケット）に係るパケット送信時刻を把握することができる。
【００８１】
一方、ステップＳ４０１で、カウントしたパケットロス数が１以上だった場合、パケット受信側の解析部２０７は、当該区間におけるパケットロス率を計算する（Ｓ４０２）。
【００８２】
そして、上述のステップＳ４０２で、パケットロス率が０．１％以下だった場合には、パケット受信側の解析部２０７は、ロスしたパケットに係るパケット送信時刻を除外して、上述の図７、図８に示すような紐付け処理及び転送遅延時間算出処理を行う（Ｓ４０４）。
【００８３】
一方、上述のステップＳ４０２で、パケットロス率が０．１％より多い場合には、パケット受信側の解析部２０７は、当該区間に係るパケット転送遅延時間の算出は行わずに次の区間の処理に移行するものとする。なお、パケット受信側の解析部２０７は、パケットロス率が０．１％より多かった区間の数をカウントしておき、処理結果の一部として出力するようにしてもよい。
【００８４】
なお、通常、ＮＧＮのＵＮＩ−ＵＮＩ間では、ＩＰパケットのパケットロス率（パケット損失率）が、０．１％以下であることが求められる。
【００８５】
（Ａ−３）実施形態の効果
この実施形態によれば、以下のような効果を奏することができる。
【００８６】
通信品質測定システム２では、パケット送信側とパケット受信側でパケット化周期が異なる場合でも、パケット送信側のパケット送信時刻と、パケット受信側のパケット受信時刻との紐付け（組み合わせ）を求め、紐づけごとにパケット転送遅延時間を求めることができる。言い換えると、通信品質測定システム２では、アクティブ測定の利点を活かし、解析部２０７においてパケット送信側のパケット送信時刻を把握することができるため、パケット送信側とパケット受信側でパケット化周期が異なる場合でも、パケット転送遅延時間を求めることができる。
【００８７】
特に、移動体通信と有線通信を密接に連携させるＦＭＣ技術を適用したネットワーク（例えば、ＮＧＮ）では、対応する通信メディアの異なる端末間の通信が行われるため、このような場合でもパケット転送遅延時間を求めることができる通信品質測定システム２（測定装置２０−１、２０−２）は非常に有用である。
【００８８】
（Ｂ）他の実施形態
本発明は、上記の実施形態に限定されるものではなく、以下に例示するような変形実施形態も挙げることができる。
【００８９】
（Ｂ−１）上記の実施形態の通信品質測定システム２では、固定電話（Ｇ．７１１）と携帯電話（Ｇ．７２１）間の通信に関する品質を測定する例について説明したが、測定対象となる通信メディアの種類（符号化方式及び仕様の種類）については限定されないものである。例えば、通信品質測定システム２において、上述の固定電話と携帯電話間の通信（Ｇ．７１１とＧ．７２１）について、固定電話同士の通信（例えば、Ｇ．７１１とＧ．７２２の間の通信）や携帯電話同士の通信（例えば、ＡＭＲ−ＮＢとＡＭＲ−ＷＢとの間の通信）に置き換えてもよいことは当然である。
【００９０】
（Ｂ−２）上記の実施形態の通信品質測定システム２では、ＩＰパケット同士（ＲＴＰパケット同士）の通信品質測定試験処理（紐付け処理等）を行っているが、通信品質測定試験処理の対象となるフレームはＩＰパケットに限定されない。例えば、通信品質測定システム２において、ＡＴＭ網のセルと、ＩＰ網のＩＰパケットとの間の通信品質測定試験処理（紐付け処理等）を行うようにしてもよい。この場合、通信品質測定システム２では、少なくともＡＴＭ網におけるセル送出開始時刻及び、セル送出間隔が把握されている必要がある。
【００９１】
（Ｂ−３）上記の実施形態では、測定装置２０内部に解析部２０７を配置する構成として説明したが、解析部２０７の配置位置は限定されないものである。例えば、ネットワーク１上の任意の情報処理装置（ＰＣ等の端末）に、解析部２０７の処理を行う解析処理プログラムをインストールすることにより実現するようにしてもよい。解析部２０７について、測定装置２０の外部に配置することにより、各測定装置２０の構成（ＣＰＵやメモリ量等）を小規模に抑えることができる。なお、上記の実施形態のように、測定装置２０内部に解析部２０７を配置する構成とした場合には、通信品質測定システム２における装置数を低減することができる。
【００９２】
（Ｂ−４）上記の実施形態における解析部２０７は、パケット送信側のパケット送信開始時刻とパケット化周期に基づいて、パケット送信側が送出するパケットの各パケット送信時刻を取得する処理について説明したが、解析部２０７がパケット送信時刻を取得する方法はこれに限定されないものである。例えば、パケット送信側の測定装置２０で、各パケットのパケット送信時刻を取得して、パケット受信側の解析部２０７に供給するようにしてもよい。パケット送信側の測定装置２０から、パケット受信側の解析部２０７にパケット送信時刻を供給する方法も限定されないものである。例えば、パケット送信側の測定装置２０でパケット送信時刻を蓄積しておき、パケット受信側の解析部２０７で解析処理を行うときに供給するようにしてもよい。
【００９３】
（Ｂ−５）上記の実施形態の解析部２０７では、パケットロスが発生した場合でも、ＲＴＣＰ−ＳＲパケットの内容に基づいて、パケット送信側とパケット受信側のパケット紐付けの処理を行うことが可能であることについて説明したが、他の方法により紐付けを行うようにしてもよい。たとえば、解析部２０７において、あらかじめ、紐付け方法（紐付けのルール）が把握されている場合（例えば、必ずシーケンス番号は１から始まり、１ずつインクリメントされる場合等）には、シーケンス番号を確認するのみで紐付け可能である。
【００９４】
（Ｂ−６）上記の実施形態では、通信品質測定システム２が、音声の通信メディアについて通信品質測定試験処理を行う場合について説明したが、音声に限定されず動画像（映像）の通信メディアについて通信品質測定試験処理を行うようにしてもよいことは当然である。
【００９５】
動画像のメディアデータを、ＲＴＰ等のプロトコルで送信する場合に、そのメディアデータのパケット列を構成するパケットは、音声の場合とは異なり、複数のパケットを用いて１フレームの画像を形成する。そして、この場合１フレーム分のパケットの最後のＲＴＰパケットにおいて、通常ＲＴＰヘッダ部のマーカビットフラグが「１」となる。具体的には、品質測定部２０３では、受信するＲＴＰパケットのマーカビットフラグを監視し、マーカビットが「１」になっているパケットを受信した時点で、１フレーム分のＲＴＰパケットを受信したと認識し、その次のＲＴＰパケットを２フレーム目のものと認識することができる。
【００９６】
したがって、この場合、品質測定部２０３では、１フレーム分のパケットを受信するごとに、受信時刻（フレーム受信時刻）を取得する必要がある。
【００９７】
また、上記の実施形態の解析部２０７では、音声のメディアデータを構成するパケット列について、パケット送信側とパケット受信側のパケットの紐付けにパケット化周期を用いているが、動画像のメディアデータの場合フレームレート（フレーム化周期）に置き換える必要がある。フレームレートは、通常、１秒あたりの数値で表し、ｆｐｓ（Ｆｒａｍｅｓ  Ｐｅｒ  Ｓｅｃｏｎｄ）という単位で表される。したがって、パケット受信側の解析部２０７では、パケット送信側のフレームレートとパケット受信側のフレームレートに基づいて、パケット送信側のフレーム送信時刻（例えば、１フレーム分のパケットの最後のＲＴＰパケットの送信時刻）と、パケット受信側のフレーム受信時刻（例えば、１フレーム分のパケットの最初のＲＴＰパケットの受信時刻）との差分をパケット転送遅延時刻として算出することができる。また、この場合パケット受信側の解析部２０７では、上記の実施形態の場合（電話通信アプリケーションの場合）と同様に、パケット送信側とパケット受信側の各フレームレートの最小公倍数又はどちらか倍数させ、複数対複数・単数対複数の紐付けを行うことができる。
【００９８】
（Ｂ−７）上記の実施形態の測定装置２０−１、２０−２では、双方向の通信について、通信品質測定試験処理を行っているが、片方向のみ（例えば、測定装置２０−１から測定装置２０−２への通信のみ）の通信品質測定試験処理を行うようにしてもよい。
【符号の説明】
【００９９】
１…ネットワーク、２…通信品質測定システム、２０、２０−１、２０−２…測定装置、２０１…セッション制御部、２０１ａ…セッション情報読み込み部、２０１ｂ…セッション生成部、２０２…パケット生成部、２０２ａ…パケット情報読み込み部、２０２ｂ…パケット生成部、２０２ｃ…終了判定部、２０３…品質測定部、２０３ａ…測定情報読み込み部、２０３ｂ…測定実行部、２０３ｃ…終了判定部、２０３ｄ…測定データ蓄積部、２０４…セッション切断部、２０５…試験情報記憶部、２０６…試験情報入力部、２０７…解析部、３…セッション制御装置、４…メディア変換装置、５、５−１、５−２…ＯＮＵ。
【図１】
2014086904.tif 000003
【図２】
2014086904.tif 000004
【図３】
2014086904.tif 000005
【図４】
2014086904.tif 000006
【図５】
2014086904.tif 000007
【図６】
2014086904.tif 000008
【図７】
2014086904.tif 000009
【図８】
2014086904.tif 000010
【図９】
2014086904.tif 000011